(57)【要約】【課題】3台の遮断器の機械的インターロックを可能にする。【解決手段】３台並設した遮断器１１，１６，１４を隔壁２０により覆うとともに、それぞれの操作部１１ａ，１６ａ，１４ａを隔壁２０に設けた開口部２０ａ〜２０ｃから露出させる。隔壁２０に遮断器１１，１６，１４の並設方向に設けた長孔２０ｄに取手部２１をスライド自在に設け、この取手部２１に取り付けたシャッタ２２によりオフ位置にある操作部の１つに対応した開口部を覆い、またシャッタ２２のスライド時にシャッタ２２に取り付けたストッパ２３がオン位置にある操作部と当接してシャッタ２２のスライドを阻止する。従って、すべての操作部をオンとすることができない。【選択図】図１
2005243502.tif 000002
【特許請求の範囲】
【請求項１】
３台並べた遮断器を覆うとともに、それぞれの操作部を露出させるための３つの開口部を有する隔壁と、隔壁に遮断器の並設方向に設けられた長孔にスライド自在に設けられた取手部と、取手部に取り付けられ、オフ位置にある操作部の１つに対応した開口部を覆うシャッタと、シャッタに取り付けられ、スライド時にオン位置にある操作部と当接してシャッタのスライドを阻止するストッパとを備えたことを特徴とする遮断器のインターロック装置。
【発明の詳細な説明】
【技術分野】
【０００１】
この発明は、分電盤等に用いられる遮断器のインターロック装置に関するものである。
【背景技術】
【０００２】
図２（ａ），（ｂ）は特許文献１に記載された従来の遮断器のインターロック装置の平面図及び正面図を示し、パネル１の開口部１ａ，１ｂに操作部２ａ，３ａを突出させて遮断器２，３が固設されている。又、遮断器２，３間においてパネル１上にはベース４が配置され、その基部４ａがねじ５によりパネル１に取り付けられる。ベース４には遮断器２，３の並設方向に長い長孔６が設けられ、長孔６には長さ方向に３つの凹部６ａ〜６ｃが設けられている。又、ベース４にはその長孔６の長さ方向にレバー７が移動自在に挿通され、レバー７には雌ねじ部７ａが設けられ、雌ねじ部７ａには固定ボルト８が螺合される。
【０００３】
上記構成において、図２（ａ）に示すようにベース４の長孔６の凹部６ａで固定ボルト８をレバー７の雌ねじ部７ａに螺合すると、レバー７の位置は固定され、遮断器２の操作部２ａはレバー７に邪魔されて操作不能となり、遮断器３の操作部３ａの操作は可能となる。又、凹部６ｃにおいて固定ボルト８を雌ねじ部７ａに螺合すると、操作部３ａの操作は不可能となり、操作部２ａの操作は可能となる。さらに、遮断器２，３を共に操作不能としたい場合には、凹部６ｂにおいて固定ボルト８を雌ねじ部７ａに螺合する。
【０００４】
上記のようなインターロック装置により、２台の遮断器２，３が同時に投入できないように、機械的インターロックをとっている。
【特許文献１】特開平１０−１０６４０６号公報
【発明の開示】
【発明が解決しようとする課題】
【０００５】
図３は電力系統図の一部を示し、線路９には変圧器１０及び遮断器１１が設けられ、線路１２には変圧器１３及び遮断器１４が設けられている。又、線路９，１２間には母線１５が接続され、母線１５にも遮断器１６が設けられており、これらにより低圧回路１７が構成されている。また、母線１５には複数の分岐母線１８が接続され、各分岐母線１８にも遮断器１９が設けられている。
【０００６】
上記のような回路構成において、変圧器１０，１３の並列運転が許容されない場合、即ち３台の遮断器１１，１４，１６を同時にオンできない場合には、図２に示したようなインターロック装置では機械的なインターロックをとることができず、各遮断器１１，１４，１６を電動操作化して、電気的インターロックをとらざるを得なかった。しかしながら、このように、遮断器１１，１４，１６を電動操作化すると高価になり、また電動操作化に伴い、操作スイッチや補助リレーも必要となり、より高価になった。
【０００７】
この発明は上記のような課題を解決するために成されたものであり、３台の遮断器の機械的インターロックをとることができる、即ち３台の遮断器のうち２台しかオンできないようにすることができ、安価な遮断器のインターロック装置を得ることを目的とする。
【課題を解決するための手段】
【０００８】
この発明の請求項１に係る遮断器のインターロック装置は、３台並べた遮断器を覆うとともに、それぞれの操作部を露出させるための３つの開口部を有する隔壁と、隔壁に遮断器の並設方向に設けられた長孔にスライド自在に設けられた取手部と、取手部に取り付けられ、オフ位置にある操作部の１つに対応した開口部を覆うシャッタと、シャッタに取り付けられ、スライド時にオン位置にある操作部と当接してシャッタのスライドを阻止するストッパとを備えたものである。
【発明の効果】
【０００９】
以上のようにこの発明によれば、遮断器を３台並設した場合に、２台しかオンすることができないようにすることができ、各遮断器の機械的インターロックをとることができ、各遮断器の電動操作化が不要となり、また電動操作化に伴う操作スイッチや補助リレーも不要とすることができ、安価にすることができる。
【発明を実施するための最良の形態】
【００１０】
以下、この発明を実施するための最良の形態を図面とともに説明する。図１（ａ），（ｂ）はこの発明の最良実施形態による遮断器のインターロック装置の斜視図及び要部斜視図を示し、３台の遮断器１１，１６，１４はこの順序で横一列に並設され、各遮断器１１，１６，１４の前面は隔壁２０により覆われ、各遮断器１１，１６，１４の操作部１１ａ，１６ａ，１４ａは隔壁２０に設けられた開口部２０ａ〜２０ｃに露出させる。操作部１１ａ，１４ａはオン位置にあり、操作部１６ａはオフ位置にある。
【００１１】
又、隔壁２０には各遮断器１１，１６，１４の並設方向に長孔２０ｄが設けられ、長孔２０ｄには取手部２１がスライド自在に設けられている。取手部２１にはシャッタ２２が取り付けられ、シャッタ２２はオフ位置にある操作部１６ａに対応した開口部２０ｂを覆っている。操作部１１ａ，１６ａ，１４ａはすべてオフ位置の場合もあり、このうちの２つがオフ位置の場合もある。何れの場合も、シャッタ２２はオフ位置にある操作部のうちの１つに対応した開口部を覆う。２３はシャッタ２２に取り付けられたストッパであり、取手部２１を持ってシャッタ２２をスライドさせようとした場合、シャッタ２２はオン位置にある操作部と当接してシャッタ２２のスライドを阻止する。
【００１２】
上記構成において、図示のように、操作部１１ａ，１４ａがオン位置にあり、操作部１６ａがオフ位置にあると、シャッタ２２は操作部１６ａに対応した開口部２０ｂを覆っており、操作部１６ａをオン操作即ち投入操作することはできないので、すべての操作部１１ａ，１６ａ，１４ａをオン状態とすることはできず、変圧器１０，１３の並列運転は阻止される。このような動作はシャッタ２２が開口部２０ａまたは２０ｃを覆っているときも同様であり、何れの場合もすべての操作部をオン状態とすることはできない。
【００１３】
上記最良実施形態においては、３台の遮断器１１，１４，１６の機械的インターロックをすることができ、電気的インターロックをする必要がない。このため、各遮断器１１，１４，１６を電動動作化する必要がなく、従って操作スイッチや補助リレーも不要となり、安価にすることができる。
【図面の簡単な説明】
【００１４】
【図１】この発明の最良実施形態による遮断器のインターロック装置の斜視図及び要部斜視図である。
【図２】特許文献１に示された従来の遮断器のインターロック装置の平面図及び正面図である。
【図３】電力系統図の一部である。
【符号の説明】
【００１５】
１０，１３…変圧器
１１，１４，１６…遮断器
１１ａ，１４ａ，１６ａ…操作部
２０…隔壁
２０ａ〜２０ｃ…開口部
２０ｄ…長孔
２１…取手部
２２…シャッタ
２３…ストッパ
【図１】
2005243502.tif 000003
【図２】
2005243502.tif 000004
【図３】
2005243502.tif 000005